(57)【要約】【課題】端子製造時の歩留まりを向上させ、以てコスト低減を図ることが可能なヒューズブロックを提供する。【解決手段】第一端子１２と第二端子１３は、端子ホルダーにそれぞれ組み付けられて保持されると、基板接続部１１と第二基板接続部１９とが重なり合った状態になる。そして、この重なり合った状態のままで、すなわち基板接続部１１と第二基板接続部１９とが一緒になった状態で回路基板２の所定のスルーホール１７に挿通され、さらにこの後に半田付けがなされると、第一端子１２と第二端子１３との電気的な接続、且つ、回路基板２との電気的な接続が完了する。【選択図】図６
2014180145.tif 000002
【特許請求の範囲】
【請求項１】
一端に一又は複数の音叉状端子部が形成され他端には一又は複数の第一基板接続部が形成される第一端子と、
一端に電源入力端子部が形成され他端には前記第一基板接続部に応じた数の第二基板接続部が形成される第二端子とを含み、
さらに、前記第二基板接続部は、前記第一基板接続部と同じスルーホールに挿入されて一緒に電気的に接続される
ことを特徴とするヒューズブロック。
【請求項２】
請求項１に記載のヒューズブロックにおいて、
一緒に接続される前記第一基板接続部と前記第二基板接続部は、これらが重なり合い且つ連続する部分も重なり合う
ことを特徴とするヒューズブロック。
【請求項３】
請求項１又は２に記載のヒューズブロックにおいて、
前記第一端子と前記第二端子は、異なる材質の金属板からなる
ことを特徴とするヒューズブロック。
【発明の詳細な説明】
【技術分野】
【０００１】
本発明は、ブレード型のヒューズの搭載先となり且つ回路基板に組み付けられるヒューズブロックに関する。
【背景技術】
【０００２】
自動車等の車両に搭載される電気機器としては、例えば電気接続箱が挙げられる。電気接続箱は、リレーボックスやヒューズボックス、或いはジャンクションブロックや電子制御ユニットボックス等を総称するものとして知られる。
【０００３】
下記特許文献１に開示された電気接続箱は、ワイヤハーネスを介して下流側に複数の負荷が接続される。電気接続箱は、複数の負荷に対し電力等を分配する構成及び構造を有する。以下、特許文献１の電気接続箱について説明をする。
【０００４】
図７において、引用符号１０１は電気接続箱を示す。ここではカバー部材を省略した状態で電気接続箱１０１を示す。電気接続箱１０１は、回路基板１０２と、電子部品１０３と、コネクタ１０４、１０５（コネクタブロック）と、ヒューズブロック１０６と、ＥＣＵ接続コネクタ１０７と、その他の構成部材とを備えて構成される。
【０００５】
回路基板１０２には、電子部品１０３が実装される。また、回路基板１０２には、コネクタ１０４、１０５やヒューズブロック１０６、ＥＣＵ接続コネクタ１０７も組み付けられる。電子部品１０３、コネクタ１０４、１０５、ヒューズブロック１０６、及びＥＣＵ接続コネクタ１０７は、回路基板１０２に形成された回路パターンの所定位置に電気的に接続される。電子部品１０３は、複数のスイッチングトランジスタ１０８や、集積回路１０９であり、それぞれの端子の接続部を介して電気的に接続される。
【０００６】
コネクタ１０４は、コネクタハウジング１１０と、複数のＬ字状端子１１１とを備えて構成される。コネクタハウジング１１０は、樹脂部品であって、図示しない相手コネクタが嵌合するハウジング本体１１２と、回路基板１０２にネジ止めされるハウジング固定部とを有する。Ｌ字状端子１１１は、この一端がハウジング本体１１２に囲まれて図示しない相手側コネクタとの電気的な接続が可能な状態に配置される。また、Ｌ字状端子１１１の他端は、回路基板１０２のスルーホールに挿通されて所定の回路パターンに対し半田付けされる。
【０００７】
コネクタ１０５は、上記コネクタ１０４と同様に構成される。すなわち、コネクタハウジング１１３と、複数のＬ字状端子１１４とを備えて構成される。コネクタハウジング１１３は、樹脂部品であって、図示しない相手コネクタが嵌合するハウジング本体１１５と、回路基板１０２にネジ止めされるハウジング固定部とを有する。Ｌ字状端子１１４は、この一端がハウジング本体１１３に囲まれて図示しない相手側コネクタとの電気的な接続が可能な状態に配置される。また、Ｌ字状端子１１４の他端は、回路基板１０２のスルーホールに挿通されて所定の回路パターンに対し半田付けされる。
【０００８】
図７及び図８において、ヒューズブロック１０６は、ブレード型のヒューズが搭載される部分であって、ヒューズカバー１１６と、端子ホルダー１１７と、層状端子群１１８とを備えて構成される。ヒューズカバー１１６及び端子ホルダー１１７は、樹脂製の構造体であり、絶縁性を有する。また、層状端子群１１８は、端子群１１９〜１２２を複数の層の状態に配置してなり、導電性を有する。
【０００９】
ヒューズカバー１１６は、ヒューズ搭載部１２３、１２４と、ハウジング１２５と、コネクタハウジング１２６と、係止アーム１２７とを有し、ヒューズ搭載部１２３がヒューズ搭載部１２４の上に配置形成され、ヒューズ搭載部１２３の左側には、ハウジング１２５とコネクタハウジング１２６とが配置形成される。また、ヒューズ搭載部１２３、１２４の右側には、係止アーム１２７が配置形成される。
【００１０】
ヒューズ搭載部１２３、１２４は、それぞれ複数のヒューズキャビティ１２８を有する。複数のヒューズキャビティ１２８は、左右方向に並ぶように配置形成される。ヒューズキャビティ１２８には、この前方から後方に向けてブレード型のヒューズが押し込まれるようになる。ヒューズ搭載部１２３、１２４は、上下に配置される。ハウジング１２５は、ヒュージブルリンクの搭載部分として形成される。また、コネクタハウジング１２６は、主電源及びオルタネータ電源用の接続部分として形成される。
【００１１】
端子ホルダー１１７は、層状端子群１１８を構成する端子群１１９〜１２２を保持することができるように形成される。端子ホルダー１１７の側部には、ヒューズカバー１１６の係止アーム１２７が引っ掛かる係止突起１２９が形成される。
【００１２】
層状端子群１１８は、上記の如く複数の端子群１１９〜１２２から構成される。下から上に向けて順に説明すると、端子群１１９は第一層目、端子群１２０は第二層目、端子群１２１は第三層目、端子群１２２は第四層目に配置される。
【００１３】
第一層目となる端子群１１９は、複数のＬ字状端子１３０を有し、この複数のＬ字状端子１３０を左右方向に並べることによりなる。また、端子群１１９は、上記の他に電源入力端子部１３１を有する。Ｌ字状端子１３０の一端には、音叉状端子部１３２が形成される。また、他端には、基板接続部１３３が形成される。
【００１４】
第二層目となる端子群１２０は、複数のＬ字状端子１３４を有し、この複数のＬ字状端子１３４を左右方向に並べることによりなる。また、端子群１２０は、上記の他に電源入力端子部１３５を有する。Ｌ字状端子１３４の一端には、音叉状端子部１３６が形成される。また、他端には、基板接続部１３７が形成される。
【００１５】
第三層目となる端子群１２１は、複数のＬ字状端子１３８を有し、この複数のＬ字状端子１３８を左右方向に並べることによりなる。また、端子群１２１は、上記の他にヒュージブルリンク用端子部１３９を有する。Ｌ字状端子１３８の一端には、音叉状端子部１４０が形成される。また、他端には、基板接続部１４１が形成される。
【００１６】
第四層目となる端子群１２２は、複数のＬ字状端子１４２を有し、この複数のＬ字状端子１４２を左右方向に並べることによりなる。また、端子群１２２は、上記の他にヒュージブルリンク用端子部１４３を有する。Ｌ字状端子１４２の一端には、音叉状端子部１４４が形成される。また、他端には、基板接続部１４５が形成される。
【００１７】
複数のＬ字状端子１３０、１３４、１３８、１４２は、これらの中間部分が端子ホルダー１１７に各々収容保持される。そして、この後にヒューズカバー１１６が端子ホルダー１１７に係止されると、音叉状端子部１３２、１３６、１４０、１４４が対応するヒューズキャビティ１２８に各々収容保持される。
【先行技術文献】
【特許文献】
【００１８】
【特許文献１】特開２００６−３３３５８３号公報
【発明の概要】
【発明が解決しようとする課題】
【００１９】
ところで、上記従来技術におけるヒューズブロック１０６にあっては、音叉状端子部１３２、１３６、及び、電源入力端子部１３１、１３５を有する端子群１１９、１２０を構成に含むことから、次のような問題点を有する。
【００２０】
すなわち、音叉状端子部１３２、１３６はブレード型のヒューズのヒューズ端子を挟持する部分としてバネ性を必要とすることから、一般的な端子材料に比べて高価な材料を使用しなければならず、そのため電源入力端子部１３１、１３５を図示のような配置で一体に有する端子形状であると、端子製造時に歩留まりが悪くなってコスト高なヒューズブロック１０６になってしまうという問題点を有する。
【００２１】
本発明は、上記した事情に鑑みてなされたもので、端子製造時の歩留まりを向上させ、以てコスト低減を図ることが可能なヒューズブロックを提供することを課題とする。
【課題を解決するための手段】
【００２２】
上記課題を解決するためになされた請求項１に記載の本発明のヒューズブロックは、一端に一又は複数の音叉状端子部が形成され他端には一又は複数の第一基板接続部が形成される第一端子と、一端に電源入力端子部が形成され他端には前記第一基板接続部に応じた数の第二基板接続部が形成される第二端子とを含み、さらに、前記第二基板接続部は、前記第一基板接続部と同じスルーホールに挿入されて一緒に電気的に接続されることを特徴とする。
【００２３】
このような特徴を有する本発明によれば、音叉状端子部を有する第一端子と、電源入力端子部を有する第二端子とに分けて製造し、音叉状端子部と電源入力端子部とを同じ端子に混在させないような構造にする。第一端子と第二端子とを製造した後は、これらの第一基板接続部と第二基板接続部とを同じスルーホールに挿入し、そして、電気的な接続を図る。
【００２４】
請求項２に記載の本発明は、請求項１に記載のヒューズブロックにおいて、一緒に接続される前記第一基板接続部と前記第二基板接続部は、これらが重なり合い且つ連続する部分も重なり合うことを特徴とする。
【００２５】
このような特徴を有する本発明によれば、第一基板接続部と第二基板接続部の他、これらに連続する部分も重なり合うような構造にする。これにより、第一端子と第二端子との一体化状態を安定させ、以て電気的な接続状態も安定させる。
【００２６】
請求項３に記載の本発明は、請求項１又は２に記載のヒューズブロックにおいて、前記第一端子と前記第二端子は、異なる材質の金属板からなることを特徴とする。
【００２７】
このような特徴を有する本発明によれば、音叉状端子部を有する第一端子をバネ性のある端子材料にて製造するとともに、電源入力端子部を有する第二端子を一般的で安価な端子材料にて製造すれば有効である。
【発明の効果】
【００２８】
請求項１に記載された本発明によれば、ヒューズブロックを構成する端子に関し、従来よりも端子製造時における歩留まりを向上させることができるという効果を奏する。従って、コスト低減を図ることができるという効果を奏する。
【００２９】
請求項２に記載された本発明によれば、請求項１の効果に加え次のような効果も奏する。すなわち、重なり合う範囲を大きくすることができるという効果を奏する。これにより、第一端子と第二端子との一体化状態及び電気的接続状態を安定させることができるという効果も奏する。
【００３０】
請求項３に記載された本発明によれば、請求項１又は２の効果に加え次のような効果も奏する。すなわち、安価な端子材料も部分的に使用することができるという効果を奏する。これにより、コスト低減に寄与することができるという効果も奏する。
【図面の簡単な説明】
【００３１】
【図１】本発明のヒューズブロックを斜め上から見た斜視図である。
【図２】ヒューズブロックを斜め下から見た斜視図である。
【図３】第一層端子群〜第三層端子群の斜視図である。
【図４】第一端子と第二端子の斜視図である。
【図５】図２のＡ視部分の拡大斜視図である。
【図６】第一端子の第一基板接続部と第二端子の第二基板接続部とを同じスルーホールに挿入した状態を示す斜視図である。
【図７】従来例の電気接続箱を示す斜視図である。
【図８】図７のヒューズブロックの分解斜視図である。
【発明を実施するための形態】
【００３２】
ヒューズブロックは、これを構成する端子に関し、音叉状端子部を有する第一端子と、電源入力端子部を有する第二端子とに分けて製造をする。そして、これらの電気的な接続にあっては、第一端子に形成された第一基板接続部と、第二端子に形成された第二基板接続部とを同じスルーホールに挿入した上で半田付けにより行う。
【実施例】
【００３３】
以下、図面を参照しながら実施例を説明する。図１及び図２は本発明のヒューズブロックを斜め上及び斜め下から見た斜視図である。また、図３は第一層端子群〜第三層端子群の斜視図、図４は第一端子と第二端子の斜視図、図５は図２のＡ視部分の拡大斜視図、図６は第一端子の第一基板接続部と第二端子の第二基板接続部とを同じスルーホールに挿入した状態を示す斜視図である。
【００３４】
以下の説明において、具体的な形状、材料、数値、方向等は、本発明の理解を容易にするための例示であって、用途、目的、仕様等に合わせて適宜変更することができるものとする。また、自動車に搭載される電気接続箱を例に挙げて説明するが、自動車の電気接続箱以外にも例えば多種多様な電気機器等に本発明を採用することができるものとする。
【００３５】
図１において、電気接続箱は、図示しないカバー部材と、このカバー部材に収容される電気接続箱本体１とを含んで構成される。また、電気接続箱本体１は、所望の回路パターンを有する回路基板２と、この回路基板２の所定位置に実装される図示しない基板実装部品及びコネクタブロックと、同じく回路基板２の所定位置に実装されるヒューズブロック３とを含んで構成される。尚、ヒューズブロック３以外の上記図示しない構成部材に関しては従来同様であるものとし、ここでの詳細な説明は省略するものとする。
【００３６】
図１及び図２において、ヒューズブロック３は、図示しないブレード型のヒューズを搭載するための部分であって、図示しないヒューズカバーと、端子ホルダー４と、層状端子群５とを備えて構成される。ヒューズカバー及び端子ホルダー４は、樹脂製の構造体であり絶縁性を有する。また、層状端子群５は、端子群６〜９、…を複数の層の状態に配置してなり、導電性を有する（図中の層状端子群５は、端子群６〜９を四つの層の状態に配置してなる）。
【００３７】
第一層目となる端子群６は、同一種類のＬ字状端子を複数有する。また、端子群６は、この複数のＬ字状端子を左右方向に並べることによりなる。端子群６におけるＬ字状端子の一端には、回路基板２に対し略水平な板状の音叉状端子部１０が形成される。また、他端には、回路基板２に対し略垂直なピン状の基板接続部１１が形成される。
【００３８】
第二層目となる端子群７は、複数種類となるＬ字状端子を複数有する。また、端子群７は、この複数のＬ字状端子を左右方向に並べることによりなる。端子群７におけるＬ字状端子の一端には、回路基板２に対し略水平な板状の音叉状端子部１０が形成される。また、他端には、回路基板２に対し略垂直なピン状の基板接続部１１が形成される。
【００３９】
第三層目となる端子群８は、上記端子群７と同様に、複数種類となるＬ字状端子を複数有する。また、端子群８は、この複数のＬ字状端子を左右方向に並べることによりなる。端子群８におけるＬ字状端子の一端には、回路基板２に対し略水平な板状の音叉状端子部１０が形成される。また、他端には、回路基板２に対し略垂直なピン状の基板接続部１１が形成される。本実施例において、端子群８には、後述する電源入力端子部１８も含まれる。
【００４０】
第四層目となる端子群９は、上記端子群６と同様に、同一種類のＬ字状端子を複数有する。また、端子群９は、この複数のＬ字状端子を左右方向に並べることによりなる。端子群９におけるＬ字状端子の一端には、回路基板２に対し略水平な板状の音叉状端子部１０が形成される。また、他端には、回路基板２に対し略垂直なピン状の基板接続部１１が形成される。
【００４１】
図３において、ここでは第四層目となる端子群９（図１参照）を省略した状態の層状端子群５を示す。端子群９を省略したのは、本実施例において第三層目となる端子群８に本発明の特徴を有するからであり、特徴部分を分かり易く示すためである。尚、本発明の特徴部分は、第三層目となる端子群８に限らないものとする。すなわち、他の層であってもよいものとする。
【００４２】
端子群８を構成するＬ字状端子のうち、一番端の引用符号１２で示すものを第一端子とすると、この第一端子１２には、第二端子１３が一体化する。第二端子１３は、端子ホルダー４（図２参照）により保持され、後述する電気的な接続によって第一端子１２に一体化する。
【００４３】
本発明は以下の説明から分かるようになるが、第一端子１２と第二端子１３とに分ける構成及び構造により、従来よりも端子製造時における歩留まりを向上させることができ、以てコスト低減を図ることができるという効果を奏する。先ず、第一端子１２と第二端子１３の構造について説明をする。
【００４４】
図４において、第一端子１２は、上記の如くＬ字状端子であって、この一端に音叉状端子部１０が形成されるとともに、他端には基板接続部１１が形成される。また、音叉状端子部１０と基板接続部１１との間となる中間部分には、水平板部１４と、折り曲げ部１５と、垂直板部１６とが形成される。基板接続部１１は、特許請求の範囲に記載された第一基板接続部に相当する。
【００４５】
音叉状端子部１０は、図示しないヒューズのヒューズ端子を接続することができるように形成される。具体的には、ヒューズ端子を挟持することができる音叉形状に形成される。音叉状端子部１０は、本実施例において横並びに五つ形成される。第一端子１２は、ヒューズ端子を挟持する音叉状端子部１０を有することから、この全体がバネ性のある金属板の加工により製造される。
【００４６】
水平板部１４は、回路基板２（図１参照）に対し略水平な板状の部分として形成される。このような水平板部１４には、横並びに五つとなる音叉状端子部１０が連成される。五つの音叉状端子部１０により、水平板部１４は平面視略長方形状に形成される。尚、従来の水平板部には電源入力端子部も連成されるが、本発明ではそのようなことがないことが分かる。従って、バネ性のある金属板を加工する際に、電源入力端子部のレイアウトに起因する歩留まりの悪化が生じるようなことはない。
【００４７】
折り曲げ部１５は、垂直板部１６を回路基板２（図１参照）に向くように曲げ加工する際に形成される。折り曲げ部１５は、水平板部１４と垂直板部１６との間に配置形成される。
【００４８】
垂直板部１６は、回路基板２（図１参照）に対し略垂直な帯板状の部分として形成される。また、垂直板部１６は、脚状の部分としても形成される。垂直板部１６は、本実施例において二つ形成される。尚、垂直板部１６には、後述する重なり板部２１が重なり合うようになる。
【００４９】
基板接続部１１は、上記の如く特許請求の範囲に記載された第一基板接続部に相当する部分であって、回路基板２（図１参照）の所定のスルーホール１７（図６参照）に挿通することができるように形成される。具体的には、垂直板部１６の幅を狭めたようなピン状の部分に形成される。
【００５０】
基板接続部１１には、後述する第二基板接続部１９が重なり合うようになる。基板接続部１１は、本実施例において二つ形成される。尚、基板接続部１１は、本実施例において、第二層目となる端子群７の基板接続部１１（図３参照）と同じ並びに配置形成される。
【００５１】
第二端子１３は、第一端子１２のようなバネ性を必要としない部分であって、一般的な安価な端子材料にて製造される。すなわち、第二端子１３は、第一端子１２と異なる材質のものとなる。第二端子１３は、この一端に電源入力端子部１８が形成され、他端には第二基板接続部１９が形成される。また、第二端子１３の中間には、保持部２０と、重なり板部２１とが形成される。
【００５２】
電源入力端子部１８は、電源の入力部分として形成される。このような電源入力端子部１８は、タブ状となる形状に形成される。電源入力端子部１８は、第一端子１２の音叉状端子部１０と異なる方向に突出するように配置形成される。
【００５３】
第二基板接続部１９は、第一端子１２の基板接続部１１と一緒に回路基板２（図１参照）の所定のスルーホール１７（図６参照）に挿通される部分であって、基板接続部１１に対し重なり合うような形状（図５参照）に形成される。具体的には、基板接続部１１と同様のピン状の部分に形成される。第二基板接続部１９は、本実施例において二つ形成され、半田付けにより基板接続部１１と一緒に電気的に接続される。
【００５４】
保持部２０及び重なり板部２１は、電源入力端子部１８と第二基板接続部１９とを繋ぐバスバー状の部分として形成される。保持部２０は、端子ホルダー４（図２参照）の所定位置に差し込まれると保持されるような形状に形成される。一方、重なり板部２１は、第一端子１２の垂直板部１６に重なり合う部分として形成される。重なり板部２１には、第二基板接続部１９が連成される。
【００５５】
第二端子１３は、端子ホルダー４（図２参照）に保持された状態において、重なり板部２１が垂直板部１６に重なり合うと、第一端子１２との一体化状態が更に安定する。また、後述する電気的な接続状態も安定する。
【００５６】
次に、上記構造の第一端子１２と第二端子１３とにおいて、これらは、端子ホルダー４（図２参照）にそれぞれ組み付けられて保持されると、基板接続部１１と第二基板接続部１９とが重なり合い、図５に示す如くの状態になる。そして、重なり合いの状態のままで、すなわち基板接続部１１と第二基板接続部１９とが一緒になった状態で、図６に示す如く回路基板２の所定のスルーホール１７に挿通され、さらにこの後に半田付けがなされると、第一端子１２と第二端子１３との電気的な接続、且つ、回路基板２との電気的な接続が完了する。
【００５７】
以上、図１ないし図６を参照しながら説明してきたように、本発明によれば、ヒューズブロック３を構成する端子群８に関し、従来よりも端子製造時における歩留まりを向上させることができるという効果を奏する。従って、コスト低減を図ることができるという効果を奏する。
【００５８】
本発明は本発明の主旨を変えない範囲で種々変更実施可能なことは勿論である。
【符号の説明】
【００５９】
１…電気接続箱本体
２…回路基板
３…ヒューズブロック
４…端子ホルダー
５…層状端子群
６〜９…端子群
１０…音叉状端子部
１１…基板接続部（第一基板接続部）
１２…第一端子
１３…第二端子
１４…水平板部
１５…折り曲げ部
１６…垂直板部（連続する部分）
１７…スルーホール
１８…電源入力端子部
１９…第二基板接続部
２０…保持部
２１…重なり板部（連続する部分）
【図１】
2014180145.tif 000003
【図２】
2014180145.tif 000004
【図３】
2014180145.tif 000005
【図４】
2014180145.tif 000006
【図５】
2014180145.tif 000007
【図６】
2014180145.tif 000008
【図７】
2014180145.tif 000009
【図８】
2014180145.tif 000010